(57)【要約】  本技術の開示された実施形態は、固定された踏板に摺動可能に結合された調節可能な踏面部材とラッチアセンブリとを備えて、調節可能な踏面部材を踏板に対して固定された位置に調節する、調節可能な足踏みアセンブリを備えたフットコントローラに関する。
2022500760.tif 000002
【特許請求の範囲】
【請求項１】
基部と、
足踏みアセンブリであって、
踏板であって、前記踏板の近位端において前記基部と回転可能に結合され、且つ前記踏板の遠位端において前記基部に対して可変角度位置を有し、前記踏板が、
前記踏板の前記近位端から前記踏板の前記遠位端の方向に延びる、前記踏板の表面にある少なくとも１つのチャネルと、
前記少なくとも１つのチャネルにある少なくとも１つのレールと、
前記少なくとも１つのレールに摺動可能に結合された少なくとも１つのシャトルと、
前記踏板の底面にあり、且つ前記踏板の前記遠位端に実質的に隣接する複数のノッチと
を更に備える、踏板と、
前記少なくとも１つのシャトルを介して前記踏板に結合された調節可能な踏面部材と、
前記調節可能な踏面部材の遠位端の近くに配置されたレバー遠位端と、前記踏板の下を前記踏板の近位端に向かう方向に延びるレバー近位端とを備えたレバーを備えるラッチアセンブリであって、前記レバー近位端が、前記踏板の底面にある前記複数のノッチのうちの少なくとも１つと選択的に係合し、それにより前記少なくとも１つのレール上で前記少なくとも１つのシャトルを摺動させ、それにより前記調節可能な踏面部材を前記踏板に対して調節する、少なくとも１つの突起を備える、ラッチアセンブリと
を備える、足踏みアセンブリと
を備える、フットコントローラ。
【請求項２】
前記踏板が、前記踏板の前記近位端から前記踏板の前記遠位端の方向に延びる、前記踏板の前記表面にある２つのチャネルを更に備え、前記２つのチャネルのそれぞれが１つのレールを備える、請求項１に記載のフットコントローラ。
【請求項３】
前記踏板が、前記２つのチャネルにある前記レールのそれぞれに摺動可能に結合された２つのシャトルを更に備える、請求項２に記載のフットコントローラ。
【請求項４】
前記ラッチアセンブリが、
前記少なくとも１つの突起を前記踏板の底面にある前記複数のノッチのうちの少なくとも１つと選択的に係合させる支点として作用するラッチ軸ピン
を更に備える、請求項１に記載のフットコントローラ。
【請求項５】
前記ラッチ軸ピンが前記レバー遠位端と前記レバー近位端とを分離する、請求項４に記載のフットコントローラ。
【請求項６】
前記ラッチアセンブリが、
前記レバーと前記調節可能な踏面との間において前記レバー遠位端に実質的に隣接して配置されたラッチスプリングであって、前記ラッチスプリングが、前記支点を中心とした前記レバーの動きに対する抵抗と、前記レバーに対して戻る力とを与える、ラッチスプリング
を更に備える、請求項５に記載のフットコントローラ。
【請求項７】
前記調節可能な踏面部材の近位端にあるヒールカップを更に備える、請求項１に記載のフットコントローラ。
【請求項８】
前記踏面部材が、前記調節可能な踏面部材の近位端にある前記ヒールカップから前記調節可能な踏面部材の遠位端まで実質的に平面である、請求項４に記載のフットコントローラ。
【請求項９】
前記調節可能な踏面部材が、前記ラッチアセンブリを遮蔽するために前記調節可能な踏面部材の前記遠位端において下向きに更に延び、且つ開口部で終わる、請求項８に記載のフットコントローラ。
【請求項１０】
前記ラッチアセンブリが、
前記レバーの遠位端に配置され、且つ前記開口部に実質的に配置されるように下向きに延びるラッチボタン
を更に備える、請求項９に記載のフットコントローラ。
【請求項１１】
前記踏面部材が、オペレータの足に対応するように概ねサイズ決めされた略平坦な表面を備える、請求項１に記載のフットコントローラ。
【請求項１２】
前記基部に対する前記足踏みアセンブリの前記角度位置を判定し、前記角度位置を前記足踏みアセンブリの前記角度位置を表す第１の信号に変換するように構成されたコントロールアセンブリ
を更に備える、請求項１に記載のフットコントローラ。
【請求項１３】
前記レバーが、前記踏板の底面にある前記複数のノッチのうちの１つと選択的に係合する複数の突起を備える、請求項１に記載のフットコントローラ。
【請求項１４】
前記フットコントローラが、手術用コンソールと通信可能に結合され、ペダル表面の前記角度位置を表す前記第１の信号が、前記手術用コンソールと結合された手術用ツールを制御するために使用される、請求項１に記載のフットコントローラ。
【請求項１５】
前記基部と前記足踏みアセンブリとに結合されたスプリングアセンブリであって、前記スプリングアセンブリが、前記足踏みアセンブリを前記基部に対してデフォルトの角度位置に配置するように構成され、且つ前記足踏みアセンブリの下向きの回転での押し下げによって前記足踏みアセンブリにトルクを加えることにより縮むように構成される、スプリングアセンブリ
を更に備える、請求項１に記載のフットコントローラ。
【発明の詳細な説明】
【技術分野】
【０００１】
本開示は、フットコントローラに関し、より詳細には、調節可能な足踏みペダルを備えたフットコントローラに関する。
【背景技術】
【０００２】
眼科手術を行うときに使用される手術用機器などの患者治療装置又は手術システムは、空気圧及び電子駆動式サブシステム、治療用レーザなどの様々なサブシステムの制御を必要とし得る。
【０００３】
サブシステムの動作は、マイクロプロセッサ駆動式コンソールによって制御され得る。手術用コンソール内のマイクロプロセッサ制御部は、手術システムのオペレータ又はアシスタントのいずれかから機械的入力を受け取って、患者治療装置内のサブシステムの動作を律する。制御入力デバイスとしては、コンソール上のスイッチ、リモートハンドスイッチ、リモートフットコントローラ、及び他の制御入力デバイスが挙げられる。
【０００４】
一部の手術では足踏みペダル駆動式フットコントローラが有用であり、足踏みペダル駆動式フットコントローラによって、自動車のペダルによって速度を調整するように、オペレータが可変制御入力、例えば硝子体手術用プローブの切断速度を調整できる。これらの足踏みペダル駆動式フットコントローラでは、機械的入力はオペレータの足の動きからもたらされ、オペレータの足の動きが電気信号に変換され、電気信号がマイクロプロセッサ制御部に供給され得る。
【０００５】
フットコントローラは、通常、固定されたサイズを有し、場合により、オペレータの足を支えるヒールカップを備え得る。しかしながら、足が小さいオペレータは、可変制御入力を駆動するための足踏みペダルに届きにくい場合がある。また、ヒールカップの位置が１つであることにより、一部のユーザにとっては、ボタンに対する知覚される又は実際の足の配置が最適ではなくなる場合がある。
【発明の概要】
【課題を解決するための手段】
【０００６】
本技術の開示される実施形態は、調節可能な足踏みアセンブリを備えたフットコントローラに関する。調節可能な足踏みアセンブリは、踏板と、調節可能な踏面部材と、ラッチアセンブリとを備え得る。
【０００７】
フットコントローラは、足踏みアセンブリの角度位置を判定し、角度位置を、足踏みアセンブリの角度位置を表す第１の信号に変換するコントロールアセンブリを備え得る。フットコントローラは手術用コンソールと通信可能に結合され、ペダル表面の角度位置を表す第１の信号が、手術用コンソールと結合された手術用ツールを制御するために使用される。
【０００８】
踏板は、フットコントローラの基部と回転可能に結合され得、基部に対して可変角度位置を有し得る。踏板は、踏板の表面にある少なくとも１つのチャネルと、チャネルにある少なくとも１つのレールと、少なくとも１つのレールに摺動可能に結合された少なくとも１つのシャトルとを有し得る。場合によっては、踏板は踏板の表面にある２つのチャネルを有し、２つのチャネルのそれぞれが１つのレールを備える。踏板はまた、２つのチャネルにあるレールのそれぞれに摺動可能に結合された２つのシャトルを更に有し得る。調節可能な踏面部材は、ヒールカップを有し得、且つ少なくとも１つのシャトルを介して踏板に結合され得、これにより、調節可能な踏面部材がレールに沿って移動して、フットコントローラの遠位端に対してヒールカップを調節できる。
【０００９】
フットコントローラはまた、踏板の下に延びるレバーを備えるラッチアセンブリを備え得る。踏板は、踏板の遠位端の付近の底面にある複数のノッチを更に備え得る。レバーは、踏板の底面にある複数のノッチのうちの少なくとも１つと選択的に係合して調節可能な踏面部材を踏板に対して固定された位置に調節する、少なくとも１つの突起を有し得る。場合によっては、レバーは、踏板の底面にある複数のノッチのうちの１つと選択的に係合する複数の突起を備える。
【００１０】
ラッチアセンブリはまた、少なくとも１つの突起を踏板の底面にある複数のノッチのうちの少なくとも１つと選択的に係合させる支点として作用するラッチ軸ピンを備え得る。加えて、ラッチアセンブリは、支点を中心としたレバーの動きに対する抵抗と、レバーに対して戻る力とを与えるラッチスプリングを備え得る。場合によっては、調節可能な踏面部材は、ラッチアセンブリを遮蔽するために遠位端において下向きに更に延び、ラッチアセンブリは遮蔽された領域の開口部に配置されたラッチボタンを備え得る。
【００１１】
本技術、本技術の特徴、及び本技術の利点をより詳細に理解するために、添付の図面と併せて、以下の説明を参照する。
【図面の簡単な説明】
【００１２】
【図１】図１は、本技術の一部の実施形態による、調節可能な足踏みペダルを備えたフットコントローラを示す。
【図２Ａ】図２Ａは、フットコントローラの足踏みアセンブリの層別の図を示す。
【図２Ｂ】図２Ｂは、フットコントローラの足踏みアセンブリの層別の図を示す。
【図３】図３は、本技術の一部の実施形態による、踏板と、調節可能な踏面部材と、ラッチとを有する足踏みアセンブリを備えたフットコントローラの切り欠き図を示す。
【図４】図４は、調節可能な足踏みペダルを備えたフットコントローラで使用されるラッチングアセンブリの側面図を示す。
【図５Ａ】図５Ａは、本技術の一部の実施形態による、踏板と調節可能に結合された調節可能な踏面部材とラッチングアセンブリとを備えたフットコントローラの側面図を示す。
【図５Ｂ】図５Ｂは、本技術の一部の実施形態による、踏板と調節可能に結合された調節可能な踏面部材とラッチングアセンブリとを備えたフットコントローラの側面図を示す。
【図６】図６は、踏板に対して固定された位置に調節された調節可能な踏面部材を備えたフットコントローラの側面図を示す。
【図７Ａ】図７Ａは、可能なシステム実施形態を示す。
【図７Ｂ】図７Ｂは、可能なシステム実施形態を示す。
【発明を実施するための形態】
【００１３】
図１は、基部１０２と、フレーム１０４と、足踏みペダル１０８とを備えたフットコントローラ１００を示している。場合によっては、足踏みペダル１０８は、足踏みペダル１０８の近位端にあるヒールカップ１０６を備える。足踏みペダル１０８は、基部１０２に対してデフォルトの角度位置に向けられ得、基部１０２に向かって回転で押し下げられ得る足で制御されるアセンブリである。フットコントローラ１００はまた、基部に対する足踏みペダル１０８の角度位置を判定し、角度位置を信号に変換することができるコントロールアセンブリ（図示せず）を備え得る。フットコントローラ１００はコンソールと通信可能に結合され得、信号は、コンソール、コンソールアクセサリ、及び／又はコンソールと併せて使用される別のモジュールを制御するために使用され得る。例えば、フットコントローラ１００は眼科手術用コンソールと結合され得、コントロールアセンブリからの信号は、例えば、硝子体手術用プローブ、水晶体超音波乳化吸引術用ハンドピース、ディスプレイ設定などの眼科手術用ツールを制御するために使用され得る。フットコントローラ１００はまた、フレーム１０４の遠位端にある１つ又は複数のボタン１４６、１４８を備え得る。ボタン１４６、１４８は、押されると、コンソール、コンソールアクセサリ、及び／又はコンソールと併せて使用される別のモジュールの別の制御態様のための更なる信号を生成し得る。
【００１４】
場合によっては、コントロールアセンブリは、位置センサ（図示せず）を備える。位置センサは、足踏みペダル１０８に直接、又は歯車などの中間的機械的結合を介して回転結合され得る。歯車が使用される場合、周知のように、それぞれの歯車の歯数の比に応じて、回転運動を機械的に増幅又は減衰させることが可能である。位置センサは、多くの可能な周知の機構、例えば光学式エンコーダの使用又はポテンショメータの使用を介して働き得る。
【００１５】
上で説明したように、当技術分野では、オペレータの様々な足のサイズにより良く対応するように調節され得るフットコントローラが必要とされている。したがって、フットコントローラ１００の足踏みペダル１０８は、このような調節を可能にする複数部品を有する足踏みアセンブリであり得る。
【００１６】
図２Ａ及び図２Ｂは、本技術の一部の実施形態による、基部２０２と、フレーム２０４とを備えたフットコントローラ２００の足踏みアセンブリであって、足踏みアセンブリが、踏板２１０と、調節可能な踏面部材２５０と、ラッチ２６０とを有する、足踏みアセンブリの層別の図を示している。図２Ａは、踏板２１０を露出させているフットコントローラ２００の層別の図を示している。踏板２１０は、踏板２１０の近位端２１６に又はその付近においてフットコントローラの基部２０２と回転可能に結合され得る。踏板２１０は、踏板２１０の近位端２１６から踏板２１０の遠位端２１８の方向に延びる、踏板２１０の表面にある１つ又は複数のチャネル２２０、２２２を備え得る。チャネル２２０、２２２は、１つ又は複数のシャトル２２８、２３０、２３２、２３４が上に摺動可能に結合される１つ又は複数のレール２２４、２２６を収容し得る。図２Ａにはまた、ラッチングマウント２４２を介して踏板２１０に取り付けられたラッチ２６０も示されている。ラッチ２６０を備えるラッチングアセンブリについては、詳しく後述する。
【００１７】
図２Ｂは、シャトル２２８、２３０、２３２、２３４及びラッチングマウント２４２を介して踏板２１０に結合された調節可能な踏面部材２５０を重ねた、踏板２１０を備えたフットコントローラ２００の層別の図を示している。レール２２４、２２６とのシャトル２２８、２３０、２３２、２３４の摺動可能な結合により、調節可能な踏面部材２５０は踏板２１０に対して調節可能に摺動され得る。
【００１８】
フットコントローラ２００はまた、フレーム２０４の遠位端にあるボタン２４６、２４８を備え得る。加えて、調節可能な踏面部材２５０は、調節可能な踏面部材２５０の近位端にあるヒールカップ２５２を備える。オペレータがヒールカップ２５２に足を載せると、ヒールカップ２５２の位置が、ボタン２４６、２４８に対するオペレータの足の配置に影響を与える。したがって、オペレータの足のサイズが異なるため、調節可能な踏面部材２５０を調節することにより、より多様なオペレータに対応できる。
【００１９】
調節可能な踏面部材２５０は「面」として表されているが、調節可能な踏面部材２５０が必ずしも最上面である必要はないことと、フットコントローラ２００の有用性を維持しながら、他の材料、フィルム、塗料などが調節可能な踏面部材２５０に塗布、堆積、結合などされてもよいこととが本開示の恩恵を受ける当業者には容易に理解されよう。
【００２０】
図３は、本技術の一部の実施形態による、基部３０２と、フレーム３０４とを備えたフットコントローラ３００であって、足踏みアセンブリが、踏板３１０と、調節可能な踏面部材３５０と、ラッチ３６０とを有する、フットコントローラ３００の切り欠き図を示している。図示のように、シャトル３２８、３３０は、踏板３１０の表面にあるチャネル（符号なし）にあるレール３２４に摺動可能に結合される。シャトル３２８、３３０はまた、調節可能な踏面部材３５０に結合され、調節可能な踏面部材３５０は踏板２１０に対して調節可能に摺動され得る。
【００２１】
場合によっては、フットコントローラ３００はまた、基部３０２と足踏みアセンブリとに結合されたスプリングアセンブリ（図示せず）を備える。スプリングアセンブリは、足踏みアセンブリを基部３０２に対してデフォルトの角度位置に配置し得、足踏みアセンブリの下向きの回転での押し下げによって足踏みアセンブリにトルクを加えることにより縮むように構成され得る。
【００２２】
図４は、本技術の一部の実施形態による、踏板４１０と調節可能な踏面部材４５０とを有する足踏みアセンブリを備えたフットコントローラ４００において使用されるラッチングアセンブリ４７０の側面図を示している。
【００２３】
ラッチングアセンブリ４７０は、調節可能な踏面部材４５０の遠位端の近くに配置されたレバー遠位端４６４と、踏板４１０の下を踏板４１０の近位端に向かう方向に延びるレバー近位端４６６とを備えたレバー４６２を備える。ラッチングアセンブリ４７０はまた、調節可能な踏面部材４５０に結合されたラッチ軸ピン４６８を備える。レバー４６２はラッチ軸ピン４６８と回転結合され、ラッチ軸ピン４６８はレバー４６２の支点として作用し得る。
【００２４】
踏板４１０は、踏板４１０の底面にあり、且つ踏板４１０の遠位端に実質的に隣接する複数のノッチ４１２を備える。加えて、レバー４６２は、レバー近位端４６６又はその付近に突起４７２を備える。ラッチ軸ピン４６８を中心としたレバー４６２の作動によって踏板４１０の底面にある第１のノッチ４１２から突起４７２が係脱されることにより、調節可能な踏面部材４５０が、例えばシャトル（図示せず）上でレール（図示せず）に沿って摺動することができる。突起４７２は、踏板４１０の底面にある第１のノッチ４１２又は他方のノッチ４１２と選択的に係合して、調節可能な踏面部材４５０を踏板に対して調節し得る。場合によっては、レバー４６２は、複数のノッチ４１２と選択的に係合する複数の突起を備える。
【００２５】
一部の他の実施形態では、踏板４１０と調節可能な踏面部材４５０との係合は、摩擦によって実現される。
【００２６】
ラッチングアセンブリ４７０はまた、レバー４６２と調節可能な踏面部材４５０の間においてレバー遠位端４６４の近くに配置されたラッチスプリング４７４を備え得る。ラッチスプリング４７４は、ラッチ軸ピン４６８支点を中心としたレバー４６２の動きに対する抵抗を与える。ラッチスプリング４７４はまた、作動力を取り除いた後、レバー４６２に対して戻る力を与える。他の一部の場合では、ラッチスプリングはねじりばねであり得る。
【００２７】
場合によっては、調節可能な踏面部材４５０は、ラッチアセンブリ４７０を遮蔽するために調節可能な踏面部材４５０の遠位端において下向きに更に延び、且つ開口部４５２で終わり得る。ラッチアセンブリ４７０はまた、レバー遠位端４６４に配置され、開口部４５２に実質的に配置されるように下向きに延びるラッチボタン４７６を備え得る。ラッチボタン４７６は、レバー４６２に対して作動力を与えるために使用され得る。
【００２８】
特定のラッチングアセンブリ４７０が本明細書で明示的に説明されているが、フットコントローラ４００の有用性を維持しながら他のラッチングアセンブリを使用することもできることを本開示の恩恵を受ける当業者には容易に理解されよう。例えば、ラッチ機能は、直線的なばね式プランジャピンを用いて実現することもでき、ラッチは、動きを縦方向から垂直などに変換する中間リンケージ（回転又は摺動）に直角に向けることもできる。
【００２９】
図５Ａ及び図５Ｂは、本技術の一部の実施形態による、踏板５１０及びラッチングアセンブリ５７０と調節可能に結合された調節可能な踏面部材５５０を備えたフットコントローラ５００の側面図を示している。
【００３０】
図５Ａに示されるように、調節可能な踏面部材５５０の開口部５５２に配置されたラッチボタン５７６が、ラッチ軸ピン５６８を中心としてレバー５６２を回転させるように作動されている。回転の結果、レバー５６２の近位端にある突起５７２は第１のノッチ５１２ａから係脱され、調節可能な踏面部材５５０は、踏板５１０にあるレール（図示せず）上をシャトル（図示せず）を介して踏板５１０上を自由に摺動する。
【００３１】
図５Ｂに示されるように、調節可能な踏面部材５５０は、フットコントローラ５００の遠位端に向かって摺動しており、レバー５６２の近位端にある突起５７２が第２のノッチ５１２ｂの下に位置している。ラッチボタン５７６にかかる作動力を除去した後、ラッチスプリング５７４は、レバー５６２の近位端に対して戻る力を与えて、突起５７２を第２のノッチ５１２ｂと係合させ、調節可能な踏面部材５５０を所定の位置に固定する。
【００３２】
図６は、ラッチングアセンブリ６７０が調節可能な踏面部材６５０を所定の位置に固定している状態で、踏板６１０の遠位位置に調節された調節可能な踏面部材６５０を備えたフットコントローラ６００の側面図を示している。
【００３３】
図７Ａは、従来のシステムバスコンピューティングシステムアーキテクチャ７００を示しており、システムのコンポーネントがバス７０５を用いて互いに電気的に通信している。例示的なシステム７００は、処理ユニット（ＣＰＵ又はプロセッサ）７１０と、読み取り専用メモリ（ＲＯＭ）７２０及びランダムアクセスメモリ（ＲＡＭ）７２５などのシステムメモリ７１５を含む様々なシステムコンポーネントをプロセッサ７１０に結合するシステムバス７０５とを備える。システム７００は、プロセッサ７１０に直接接続されているか、近接しているか、又はその一部として統合されている高速メモリのキャッシュを備え得る。システム７００は、プロセッサ７１０が迅速にアクセスするために、メモリ７１５及び／又はストレージデバイス７３０からのデータをキャッシュ７１２にコピーし得る。このようにして、キャッシュは、データを待機している間のプロセッサ７１０の遅延を回避する性能の向上を提供し得る。これらのモジュール及び他のモジュールは、様々なアクションを実行するためにプロセッサ７１０を制御し得る、又は制御するように構成され得る。他のシステムメモリ７１５も同様に使用可能であり得る。メモリ７１５は、異なる性能特性を有する複数の異なるタイプのメモリを含み得る。プロセッサ７１０は、任意の汎用プロセッサと、プロセッサ７１０を制御するように構成された、ストレージデバイス７３０に格納されたモジュール１  ７３２、モジュール２  ７３４、及びモジュール３  ７３６などのハードウェアモジュール又はソフトウェアモジュールと、ソフトウェア命令が実際のプロセッサ設計に組み込まれる専用プロセッサとを含み得る。プロセッサ７１０は、複数のコア又はプロセッサ、バス、メモリコントローラ、キャッシュなどを備える、本質的に完全に自己完結型のコンピューティングシステムであってもよい。マルチコアプロセッサは対称あっても非対称であってもよい。
【００３４】
コンピューティングデバイス７００とのユーザ対話を可能にするために、入力デバイス７４５は、音声用のマイクロフォン、ジェスチャ又はグラフィック入力用のタッチ感知式画面、キーボード、マウス、モーション入力、音声などの任意の数の入力機構を表し得る。出力ディスプレイ７３５はまた、当業者に既知であるいくつかの出力機構のうちの１つ又は複数であり得る。場合によっては、マルチモーダルシステムによって、ユーザがコンピューティングデバイス７００と通信するために複数のタイプの入力を提供することが可能になり得る。通信インターフェース７４０は、一般に、ユーザ入力及びシステム出力を律したり管理したりし得る。特定のハードウェア構成での動作に制限はないため、ここでの基本機能は、開発時に改善されたハードウェア又はファームウェア構成に容易に置き換えられ得る。
【００３５】
ストレージデバイス７３０は、不揮発性メモリであり、ハードディスク、又は磁気カセット、フラッシュメモリカード、ソリッドステートメモリデバイス、デジタル多用途ディスク、カートリッジ、ランダムアクセスメモリ（ＲＡＭ）７２５、読み取り専用メモリ（ＲＯＭ）７２０、及びそれらのハイブリッドなど、コンピュータがアクセスできるデータを格納し得る他のタイプのコンピュータ可読媒体であり得る。
【００３６】
ストレージデバイス７３０は、プロセッサ７１０を制御するためのソフトウェアモジュール７３２、７３４、７３６を含み得る。他のハードウェア又はソフトウェアモジュールも企図されている。ストレージデバイス７３０はシステムバス７０５に接続され得る。一態様では、特定の機能を実行するハードウェアモジュールは、その機能を実行するために、プロセッサ７１０、バス７０５、ディスプレイ７３５などの必要なハードウェアコンポーネントと併せて、コンピュータ可読媒体に格納されたソフトウェアコンポーネントを含み得る。
【００３７】
図７Ｂは、説明された方法を実行し、グラフィカルユーザインターフェース（ＧＵＩ）を生成及び表示する際に使用され得るチップセットアーキテクチャを有するコンピュータシステム７５０を示している。コンピュータシステム７５０は、開示された技術を実施するために使用され得るコンピュータハードウェア、ソフトウェア、及びファームウェアの一例である。システム７５０は、特定された計算を実行するように構成されたソフトウェア、ファームウェア、及びハードウェアを実行できる任意の数の物理的及び／又は論理的に異なるリソースを表すプロセッサ７５５を備え得る。プロセッサ７５５は、プロセッサ７５５への入力及びプロセッサ７５５からの出力を制御し得るチップセット７６０と通信し得る。この例では、チップセット７６０は、ディスプレイなどの出力７６５に情報を出力し、例えば磁気媒体及びソリッドステート媒体を含み得るストレージデバイス７７０に対して情報を読み書きし得る。チップセット７６０はまた、ＲＡＭ７７５に対してデータを読み書きし得る。チップセット７６０とインターフェースするために、様々なユーザインターフェースコンポーネント７８５とインターフェースするためのブリッジ７８０が設けられ得る。そのようなユーザインターフェースコンポーネント７８５としては、キーボード、マイクロフォン、タッチ検出及び処理回路、マウスなどのポインティングデバイスなどが挙げられる。一般に、システム７５０への入力は、機械生成及び／又は人間生成の様々なソースのいずれかからもたらされ得る。
【００３８】
チップセット７６０はまた、異なる物理的インターフェースを有し得る１つ又は複数の通信インターフェース７９０とインターフェースし得る。そのような通信インターフェースとしては、有線及び無線ローカルエリアネットワーク、ブロードバンドワイヤレスネットワーク、及びパーソナルエリアネットワークのためのインターフェースが挙げられる。本明細書に開示されるＧＵＩを生成、表示、及び使用するための方法の一部の用途は、物理的インターフェースを介して順序付けられたデータセットを受信すること、又はプロセッサ７５５がストレージ７７０若しくは７７５に格納されたデータを分析することによって機械自体によって生成されることを含み得る。更に、本機械は、ユーザインターフェースコンポーネント７８５を介してユーザからの入力を受け取り、プロセッサ７５５を用いてこれらの入力を解釈することにより、閲覧機能などの適切な機能を実行し得る。
【００３９】
例示的なシステム７００及び７５０は、２つ以上のプロセッサ７１０を有し得る、又はより大きな処理能力を提供するために一緒にネットワーク化されたコンピューティングデバイスのグループ又はクラスターの一部であり得ることが理解されよう。
【００４０】
説明を明確にするために、場合によっては、本技術は、デバイス、デバイスコンポーネント、ソフトウェアで具現化された方法におけるステップ又はルーチン、又はハードウェアとソフトウェアとの組み合わせを含む機能ブロックを含む個々の機能ブロックを含むものとして提示され得る。
【００４１】
一部の実施形態では、コンピュータ可読ストレージデバイス、媒体、及びメモリは、ケーブル又はビットストリームなどを含む無線信号を含み得る。しかしながら、言及される場合、非一時的なコンピュータ可読記憶媒体は、エネルギー、搬送波信号、電磁波、及び信号自体などの媒体を明示的に除外する。
【００４２】
上記の例による方法は、コンピュータ可読媒体に格納されるか又はコンピュータ可読媒体から何らかの仕方で利用可能であるコンピュータ実行可能命令を用いて実施され得る。このような命令は、例えば、汎用コンピュータ、専用コンピュータ、又は専用処理デバイスに特定の機能又は機能群を実施又は構成させる命令及びデータを含み得る。使用されるコンピュータリソースの一部は、ネットワークを介してアクセスできる。コンピュータ実行可能命令は、例えば、バイナリ、アセンブリ言語、ファームウェア、又はソースコードなどの中間フォーマット命令であり得る。説明された例による方法中に、命令、使用される情報、及び／又は作成された情報を格納するために使用され得るコンピュータ可読媒体の例としては、磁気又は光ディスク、フラッシュメモリ、不揮発性メモリを備えたＵＳＢデバイス、ネットワーク化されたストレージデバイスなどが挙げられる。
【００４３】
これらの開示による方法を実装するデバイスは、ハードウェア、ファームウェア、及び／又はソフトウェアを含むことができ、様々なフォームファクタのいずれかを取ることができる。このようなフォームファクタの典型的な例としては、ラップトップ、スマートフォン、スモールフォームファクタのパーソナルコンピュータ、携帯情報端末などが挙げられる。本明細書で説明される機能はまた、周辺機器又はアドインカードで具現化され得る。このような機能はまた、更なる例として、単一のデバイスで実行される異なるチップ又は異なるプロセスの中で回路基板上に実装され得る。
【００４４】
命令、そのような命令を伝達するための媒体、それらを実行するためのコンピューティングリソース、及びそのようなコンピューティングリソースをサポートするための他の構造は、これらの開示で説明された機能を提供するための手段である。
【００４５】
上記の開示された発明の主題は、例示的と見なされるべきであり、限定的と見なされるべきではなく、添付の特許請求の範囲は、本開示の真の趣旨及び範囲内にあるそのようなすべての修正、強化、及び他の実施形態を包含することが意図されている。したがって、法律で認められる最大限の範囲で、本開示の範囲は、以下の特許請求の範囲及びそれらの均等物の最も広い許容可能な解釈によって決定され、上述の詳細な説明によって制限又は限定されないものとする。
【図１】
2022500760.tif 000003
【図２Ａ】
2022500760.tif 000004
【図２Ｂ】
2022500760.tif 000005
【図３】
2022500760.tif 000006
【図４】
2022500760.tif 000007
【図５Ａ】
2022500760.tif 000008
【図５Ｂ】
2022500760.tif 000009
【図６】
2022500760.tif 000010
【図７Ａ】
2022500760.tif 000011
【図７Ｂ】
2022500760.tif 000012
【国際調査報告】
2022500760.tif 000013
2022500760.tif 000014